(57)【要約】【課題】成りすまし等の不正の防止を可能にした飲酒運転防止装置を提供すること。【解決手段】飲酒運転防止装置１は、呼気中のアルコール成分を検知する呼気式アルコールセンサ２と、運転席シートベルト６に取付けられた呼吸センサ３と、呼気式アルコールセンサ２及び呼吸センサ３の検出結果に応じてエンジンの始動を制御する車載器４とを備えている。呼気式アルコールセンサ２は、運転席５の搭乗者（通常、ドライバ）が着座状態で手に取って吹き込み口から呼気を吹き込む手持ち型のアルコール検知器に内蔵されている。車載器４は、アルコール検知器に呼気が吹き込まれた際に、呼吸センサ３の検出結果を用いて、該吹き込まれた呼気がドライバのものであるか否かを判定する。【選択図】図１
2018176971.tif 000002
【特許請求の範囲】
【請求項１】
呼気中のアルコール成分を検知する呼気式アルコールセンサと、
運転席シートベルトに取付けられ、運転席に着座しているドライバの呼吸を検出する呼吸センサと、
前記呼気式アルコールセンサに呼気が吹き込まれた際に、前記呼吸センサの検出結果を用いて、該吹き込まれた呼気がドライバのものであるか否かを判定する判定手段とを備える
ことを特徴とする飲酒運転防止装置。
【請求項２】
前記判定手段は、前記運転席シートベルトがバックルに装着されていることを条件に、前記呼気式アルコールセンサへの呼気の吹き込みを要求する
請求項１に記載の飲酒運転防止装置。
【請求項３】
前記判定手段は、前記運転席シートベルトがバックルから外された場合、該運転席シートベルトがバックルに装着されたことを契機に、前記呼気式アルコールセンサへの呼気の吹き込みを要求する
請求項２に記載の飲酒運転防止装置。
【請求項４】
前記呼気式アルコールセンサに吹き込まれた呼気がドライバのものでないと前記判定手段が判定した場合に、エンジンを始動できないようロックする制御手段を備える
請求項１〜３のいずれか一項に記載の飲酒運転防止装置。
【請求項５】
前記制御手段は、前記呼気式アルコールセンサに吹き込まれた呼気がドライバのものであると前記判定手段が判定した場合に、呼気中のアルコール成分が検知されないことを条件に、エンジンの始動を許可する
請求項４に記載の飲酒運転防止装置。
【発明の詳細な説明】
【技術分野】
【０００１】
本発明は、飲酒運転防止装置に関する。
【背景技術】
【０００２】
従来、呼気式アルコールセンサにドライバの呼気を吹き込み、アルコール成分が検知されると、エンジンを始動できないようロックする飲酒運転防止装置が知られている。この種の飲酒運転防止装置において、車載カメラで車室内を撮影し、ドライバ以外の人物による成りすましや、風船等の道具を利用した不正な飲酒検知回避を防止する技術が提案されている（例えば、特許文献１〜３を参照）。
【先行技術文献】
【特許文献】
【０００３】
【特許文献１】特開２００９−０９０８６６号公報
【特許文献２】特開２００９−１１３７０８号公報
【特許文献３】特開２００９−２０１７００号公報
【発明の概要】
【発明が解決しようとする課題】
【０００４】
ドライバが擬似的に呼気を吹き込む様子をカメラに見せることで、エンジンの始動が許可されてしまう懸念がある。
本発明は、このような問題点に着目してなされたものであって、その目的は、成りすまし等の不正の防止を可能にした飲酒運転防止装置を提供することにある。
【課題を解決するための手段】
【０００５】
上記課題を解決する飲酒運転防止装置は、呼気中のアルコール成分を検知する呼気式アルコールセンサと、運転席シートベルトに取付けられ、運転席に着座しているドライバの呼吸を検出する呼吸センサと、前記呼気式アルコールセンサに呼気が吹き込まれた際に、前記呼吸センサの検出結果を用いて、該吹き込まれた呼気がドライバのものであるか否かを判定する判定手段とを備えることをその要旨としている。
【０００６】
この構成によれば、運転席シートベルトに取付けられた呼吸センサの検出結果を用いることで、運転席に着座しているドライバ以外の人物による成りすましや、予め飲酒していない状態の呼気を入れた風船等の道具を利用した不正な飲酒検知回避を防ぐことが可能となる。したがって、成りすまし等の不正を防止できる。
【０００７】
上記飲酒運転防止装置について、前記判定手段は、前記運転席シートベルトがバックルに装着されていることを条件に、前記呼気式アルコールセンサへの呼気の吹き込みを要求することとしてもよい。
【０００８】
この構成によれば、シートベルトの装着を必要とするため、ドライバのシートベルト装着義務違反を防止できる。
上記飲酒運転防止装置について、前記判定手段は、前記運転席シートベルトがバックルから外された場合、該運転席シートベルトがバックルに装着されたことを契機に、前記呼気式アルコールセンサへの呼気の吹き込みを要求することとしてもよい。
【０００９】
この構成によれば、運転席シートベルトが外れる毎に判定を行うため、エンジン始動後に運転席の搭乗者が入れ替わることによる不正を防止できる。
上記飲酒運転防止装置について、前記呼気式アルコールセンサに吹き込まれた呼気がドライバのものでないと前記判定手段が判定した場合に、エンジンを始動できないようロックする制御手段を備えることとしてもよい。
【００１０】
この構成によれば、吹き込まれた呼気がドライバのものでない場合、たとえアルコール成分が検知されなくても、エンジンを始動できないようロックするため、ドライバの飲酒の有無が分からない状況下での車両運転を阻止できる。
【００１１】
上記飲酒運転防止装置について、前記制御手段は、前記呼気式アルコールセンサに吹き込まれた呼気がドライバのものであると前記判定手段が判定した場合に、呼気中のアルコール成分が検知されないことを条件に、エンジンの始動を許可することとしてもよい。
【００１２】
この構成によれば、ドライバが飲酒していない場合に車両運転が可能になる。
【発明の効果】
【００１３】
本発明によれば、成りすまし等の不正を防止できる。
【図面の簡単な説明】
【００１４】
【図１】飲酒運転防止装置の概要を示す図。
【図２】第１の実施の形態について、車載器が実行する飲酒判定処理を示すフローチャート。
【図３】第２の実施の形態について、車載器が実行する飲酒判定処理を示すフローチャート。
【発明を実施するための形態】
【００１５】
（第１の実施の形態）
以下、飲酒運転防止装置の第１の実施の形態について説明する。
図１に示すように、飲酒運転防止装置１は、呼気中のアルコール成分を検知する呼気式アルコールセンサ２と、運転席シートベルトに取付けられた呼吸センサ３と、呼気式アルコールセンサ２及び呼吸センサ３の検出結果に応じてエンジンの始動を制御する車載器４とを備えている。
【００１６】
呼気式アルコールセンサ２の一例は、運転席５の搭乗者（通常、ドライバ）が着座状態で手に取って吹き込み口から呼気を吹き込む手持ち型のアルコール検知器に内蔵されている。呼吸センサ３の一例は、運転席シートベルト６の胸部にあたる位置に取付けられ、運転席５に着座して運転席シートベルト６を装着している者（通常、ドライバ）の呼吸に合わせて伸縮することによりドライバの呼吸を検出する。尚、運転席シートベルト６の装着状態がバックル７内のセンサによって検出される。そして、呼気式アルコールセンサ２及び呼吸センサ３及びバックル７内のセンサが、それぞれ有線又は無線により車載器４に電気的に接続されている。
【００１７】
次に、飲酒運転防止装置１の作用について説明する。尚、図２に示す飲酒判定処理の実行主体は、車載器４のＣＰＵである。車載器４のＣＰＵは、判定手段及び制御手段に相当する。
【００１８】
飲酒運転防止装置１では、図２のステップＳ１において、運転席シートベルト６がバックル７に装着されているか否かを判定する。運転席シートベルト６が装着されていれば（ステップＳ１でＹＥＳ）、飲酒運転防止装置１では、ステップＳ２において、ドライバに対し、音声或いは表示によるメッセージを伴いつつ、アルコール検知器への呼気の吹き込みを要求する。
【００１９】
そして、アルコール検知器に呼気が吹き込まれた際に、飲酒運転防止装置１では、ステップＳ３において、呼吸センサ３の検出結果を用いて、該吹き込まれた呼気がドライバのものであるか否かを判定する。例えば、アルコール検知器には、呼気式アルコールセンサ２の他、呼気量を検出する水蒸気センサが内蔵され、車載器４のＣＰＵは、水蒸気センサの検出結果である呼気量の時系列データと、呼吸センサ３の検出結果である伸縮量の時系列データとが整合する場合、アルコール検知器に吹き込まれた呼気がドライバのものであると判定する。
【００２０】
アルコール検知器に吹き込まれた呼気がドライバのものであれば（ステップＳ３でＹＥＳ）、呼気式アルコールセンサ２によって呼気中のアルコール成分が検知されないことを条件に（ステップＳ４でＮＯ）、飲酒運転防止装置１では、ステップＳ５において、エンジンの始動を許可する。
【００２１】
一方、アルコール検知器に吹き込まれた呼気がドライバのものでなければ（ステップＳ３でＮＯ）、呼気式アルコールセンサ２によって呼気中のアルコール成分が検知されるか否かにかかわらず、飲酒運転防止装置１では、ステップＳ６において、エンジンを始動できないようロックする。
【００２２】
以上説明したように、本実施の形態によれば、以下の効果を奏することができる。
（１）運転席シートベルト６に取付けられた呼吸センサ３の検出結果を用いることで、運転席５に着座しているドライバ以外の人物による成りすましや、予め飲酒していない状態の呼気を入れた風船等の道具を利用した不正な飲酒検知回避を防ぐことが可能となる。したがって、成りすまし等の不正を防止できる。
【００２３】
（２）シートベルトの装着を必要とするため、ドライバのシートベルト装着義務違反を防止できる。
（３）吹き込まれた呼気がドライバのものでない場合、たとえアルコール成分が検知されなくても、エンジンを始動できないようロックするため、ドライバの飲酒の有無が分からない状況下での車両運転を阻止できる。
【００２４】
（４）ドライバが飲酒していない場合に車両運転が可能になる。
（第２の実施の形態）
次に、飲酒運転防止装置の第２の実施の形態について、上記第１の実施の形態との相違点を中心に説明する。尚、図３に示す飲酒判定処理の実行主体は、車載器４のＣＰＵである。車載器４のＣＰＵは、判定手段及び制御手段に相当する。
【００２５】
飲酒運転防止装置１では、図３のステップＳ１１〜ステップＳ１６において、上記第１の実施の形態のステップＳ１〜ステップＳ６と同様に動作する。
そして、飲酒運転防止装置１では、エンジンの始動を許可（ステップＳ１５）或いはロック（ステップＳ１６）した後に、運転席シートベルト６がバックル７から外された場合（ステップＳ１７でＹＥＳ）、該運転席シートベルト６がバックル７に装着されたことを契機に（ステップＳ１１でＹＥＳ）、ステップＳ１２以降の処理を実行する。
【００２６】
以上説明したように、本実施の形態によれば、上記第１の実施の形態による（１）〜（４）の効果と同様の効果に加え、さらに以下の効果を奏することができる。
（５）運転席シートベルト６が外れる毎に判定を行うため、エンジン始動後に運転席５の搭乗者が入れ替わることによる不正を防止できる。
【００２７】
尚、上記各実施の形態は、次のように変更して具体化することも可能である。
・呼気がドライバのものであるか否かを判定するにあたり、運転席シートベルト６に取付けられる呼吸センサ３の検出結果との整合性を検証する必要があるため、アルコール検知器は、運転席５に着座して運転席シートベルト６を装着している者が呼気を吹き込む飲酒検知位置まで手動又は自動で移動可能であれば、移動前の設置位置は問わない。
【００２８】
・呼気式アルコールセンサ２について、呼気中のアルコール成分の検知方法は任意である。
・呼吸センサ３について、呼吸の検出方法は任意である。運転席シートベルト６に取付けられる限り、ドライバの呼吸を的確に検出しやすい。
【００２９】
・エンジンの始動を車両の発進に置き換えてもよい。すなわち、飲酒有りの場合、エンジンの始動を許可するが、駆動輪へ動力が伝達されないようにすることで車両の発進を規制しつつ、エアコン等を使用できるようにしてもよい。この場合、呼気中のアルコール成分が検知されなくなるまで車室内で仮眠等をし、その後の飲酒検知を経て車両運転が可能になる。
【００３０】
・電気自動車等を想定して、エンジンの始動をモータの起動に置き換えてもよい。
・自動運転が可能な車両を想定して、ドライバの判断が必要な機能を対象に、飲酒の有無に応じて有効（飲酒無し時）／無効（飲酒有り時）を制御してもよい。
【符号の説明】
【００３１】
１…飲酒運転防止装置、２…呼気式アルコールセンサ、３…呼吸センサ、４…車載器（判定手段、制御手段）、５…運転席、６…運転席シートベルト、７…バックル。
【図１】
2018176971.tif 000003
【図２】
2018176971.tif 000004
【図３】
2018176971.tif 000005